(57)【要約】【課題】使用者に煩わしい操作を強いることなく、通話時においても自分自身の位置情報を取得し、その位置情報を通話時に通知することが可能な携帯電話機を提供する。【解決手段】キーボード２５の操作により発呼が指示された場合、制御部２０は、他の携帯電話機への発呼の情報と記憶部２４に記憶されている位置情報とを、信号処理部２１と送受信部２２とアンテナ２９を介して送信する。発呼側と着信側との間での通話が可能になると、制御部２０は、前回位置情報を取得してから一定時間経過したかを判定し、一定時間経過していた場合、制御部２０は、位置情報取得部２３に対して、位置情報取得指示信号を出力し、現在位置を示す位置情報を取得し、取得した位置情報を、信号処理部２１と送受信部２２とアンテナ２９を介して、着信側の携帯電話機あてに送信する。【選択図】図２
2005033612.tif 000002
【特許請求の範囲】
【請求項１】
他の電話機との通話処理を行う通話処理部と、
現在位置を示す位置情報を間欠的に取得する位置情報取得部と、
前記通話処理部が前記通話処理を行っている間、前記位置情報取得部が取得した位置情報の中で最新の位置情報を、前記他の電話機に間欠的に送信する送信部と
を含むことを特徴とする携帯電話機。
【請求項２】
請求項１に記載の携帯電話機において、
前記位置情報取得部は、前記通話処理部が前記通話処理を行っている間、前記位置情報を所定期間周期で取得し、
前記送信部は、前記通話処理部が前記通話処理を行っている間、前記位置情報取得部が前記所定期間周期で取得した位置情報の中で最新の位置情報を、前記所定期間周期で、前記他の電話機に送信する
ことを特徴とする携帯電話機。
【請求項３】
請求項２に記載の携帯電話機において、
前記所定期間周期が設定される周期設定部をさらに含むことを特徴とする携帯電話機。
【請求項４】
請求項１に記載の携帯電話機において、
前記送信部は、前記位置情報取得部が前記位置情報を取得した際、該位置情報が示す位置と、前記位置情報取得部が該位置情報を取得する以前に取得した位置情報が示す位置との距離が、所定の距離よりも長い場合に、該位置情報を前記他の電話機に送信する
ことを特徴とする携帯電話機。
【請求項５】
請求項４に記載の携帯電話機において、
前記所定の距離が設定される距離設定部をさらに含むことを特徴とする携帯電話機。
【請求項６】
請求項１ないし５のいずれかに記載の携帯電話機において、
前記位置情報取得部が取得した位置情報に応じた位置を表示する表示部をさらに含むことを特徴とする携帯電話機。
【請求項７】
請求項１ないし６にいずれかに記載の携帯電話機との通話処理を行う通話処理部と、前記携帯電話機から送信される位置情報を受信する受信部と、前記受信部が受信した位置情報に応じた位置を表示する表示部とを含むことを特徴とする携帯電話機。
【請求項８】
他の電話機との通話処理を行う通話処理ステップと、
現在位置を示す位置情報を間欠的に取得する位置情報取得ステップと、
前記通話処理ステップで前記通話処理を行っている間、前記位置情報取得ステップで取得した位置情報の中で最新の位置情報を、前記他の電話機に間欠的に送信する送信ステップと
を含むことを特徴とする位置情報送信方法。
【請求項９】
請求項８に記載の位置情報送信方法において、
前記位置情報取得ステップは、前記通話処理ステップで前記通話処理を行っている間、前記位置情報を所定期間周期で取得し、
前記送信ステップは、前記通話処理ステップで前記通話処理を行っている間、前記位置情報取得ステップにおいて前記所定期間周期で取得した位置情報の中で最新の位置情報を、前記所定期間周期で、前記他の電話機に送信する
ことを特徴とする位置情報送信方法。
【請求項１０】
請求項８に記載の位置情報送信方法において、
前記送信ステップは、前記位置情報取得ステップが前記位置情報を取得した際、該位置情報が示す位置と、前記位置情報取得ステップが該位置情報を取得する以前に取得した位置情報が示す位置との距離が、所定の距離よりも長い場合に、該位置情報を前記他の電話機に送信する
ことを特徴とする位置情報送信方法。
【請求項１１】
請求項８ないし１０のいずれかに記載の位置情報送信方法において、
前記位置情報取得ステップで取得した位置情報に応じた位置を表示する表示ステップをさらに含むことを特徴とする位置情報送信方法。
【請求項１２】
請求項８ないし１１にいずれかに記載の位置情報送信方法によって送信される位置情報を受信する受信ステップと、前記受信ステップで受信した位置情報に応じた位置を表示する表示ステップとを含むことを特徴とする位置情報受信方法。
【発明の詳細な説明】
【技術分野】
【０００１】
本発明は、携帯電話機、位置情報送信方法および位置情報送信方法に関する。
【背景技術】
【０００２】
従来の携帯電話機では、ＧＰＳ（Global Positioning System）機能などを用いて位置情報を取得するもの、および、ネットワーク側で位置登録情報に基づき携帯電話機の位置を特定するものなどがある。
【０００３】
また、携帯電話機の位置を他の携帯電話機に知らせることが可能な移動通信システムが、特許文献１（特開平１０−４５８３号公報）に記載されている。具体的には、携帯電話機の位置登録エリアが切り替わる毎に現在の位置登録エリアを相手先に送信する手法が、特許文献１に開示されている。
【０００４】
図７は、特許文献１に記載された移動通信システムを説明するためのブロック図である。
【０００５】
図７において、携帯電話機１０Ａが、基地局２０Ａの位置登録エリア５Ａに入り、基地局２０Ａの電波を捕らえると、基地局２０Ａは携帯電話１０Ａの位置登録を行う。携帯電話１０Ａが移動して位置登録エリア５Ｂに入ると、携帯電話１０Ａは、位置登録エリアが切り替わり、位置登録エリア５Ｂに関する位置登録が行われる。通話相手となる携帯電話機１０Ｂは、基地局側に登録された携帯電話機１０Ａの位置情報を受信し、通話相手の位置情報を知ることができる。
【０００６】
特許文献２（特開２００１−３４６２４６号公報）には、携帯電話機の位置情報をＧＰＳ受信部で受信し、受信した位置情報を通話相手に通知する携帯電話機が記載されている。
【０００７】
特許文献２に記載の携帯電話機は、まず、使用者が携帯電話機を操作して、現在位置を示す位置情報を取得する。取得した位置情報は携帯端末装置内の作業メモリに一時的に記憶される。続いて、使用者は、通話相手の携帯電話機に電話をかけ、所定のキーを操作して位置情報の送信指示を入力する。送信指示の入力により、位置情報が通話相手の携帯電話機に送信される。
【０００８】
特許文献３（特開２００３−３２７１９号公報）には、通話相手の携帯電話機に電話をかけたときだけ、発呼者側の位置情報を送信する携帯電話装置が記載されている。
【特許文献１】特開平１０−４５８３号公報
【特許文献２】特開２００１−３４６２４６号公報
【特許文献３】特開２００３−３２７１９号公報
【発明の開示】
【発明が解決しようとする課題】
【０００９】
特許文献１に記載された移動通信システムは、位置登録エリアに基づいて位置情報を取得しているため、同一の位置登録エリア内で移動した場合、その移動が位置情報に反映されない。よって、位置情報の精度を高くできないという問題が生じる。
【００１０】
特許文献２に記載の携帯端末装置では、ＧＰＳ受信部を用いて位置情報を取得しているので、特許文献１に記載の移動通信システムにおいて生じる問題点は、解消可能となる。
【００１１】
しかしながら、特許文献２に記載の携帯端末装置の場合、位置情報の通知は、使用者が送信指示を行って初めて通知されるため、使用者は、位置情報を通知するための特別な操作を行わなければならなかった。
【００１２】
また、特許文献２に記載の携帯端末装置の場合、最初に自身の位置情報を取得し、その後、電話をかけ、取得した位置情報を通知するため、位置情報を取得指定から、取得した位置情報を通知するまでの間に、使用者が移動してしまった場合、実際の位置と、通知する位置とが異なる可能性が生じてしまう。
【００１３】
また、特許文献３に記載の携帯電話装置の場合、通話相手の携帯電話機に電話をかけたときしか、発呼者側の位置情報を自動的に送信しないので、通話中に発呼者が移動する場合、その移動位置を確認できないという問題点が生じる。
【００１４】
本発明の目的は、使用者に煩わしい操作を強いることなく、通話時においても自分自身の位置情報を取得し、その位置情報を通話時に通知することが可能な携帯電話機を提供することである。
【課題を解決するための手段】
【００１５】
上記目的を達成するために、本発明の携帯電話機は、他の電話機との通話処理を行う通話処理部と、現在位置を示す位置情報を間欠的に取得する位置情報取得部と、前記通話処理部が前記通話処理を行っている間、前記位置情報取得部が取得した位置情報の中で最新の位置情報を、前記他の電話機に間欠的に送信する送信部とを含むことを特徴とする。
【００１６】
上記の発明によれば、通話処理部が通話処理を行っている間、送信部が、位置情報取得部が取得した位置情報の中で最新の位置情報を、他の電話機に間欠的に送信するので、使用者に煩わしい操作を強いることなく、通話時においても自分自身の位置情報を取得し、その位置情報を通話時に通知することが可能となる。
【００１７】
また、本発明の携帯電話機は、前記位置情報取得部が、前記通話処理部が前記通話処理を行っている間、前記位置情報を所定期間周期で取得し、前記送信部が、前記通話処理部が前記通話処理を行っている間、前記位置情報取得部が前記所定期間周期で取得した位置情報の中で最新の位置情報を、前記所定期間周期で、前記他の電話機に送信することを特徴とする。
【００１８】
上記の発明によれば、上記同様の効果を奏するとともに、位置情報の送信間隔が所定期間周期となるため、所定期間周期よりも短い周期で必要以上に位置情報を伝えてしまうことを防止することが可能になる。
【００１９】
また、本発明の携帯電話機は、前記所定期間周期が設定される周期設定部をさらに含むことを特徴とする。
【００２０】
上記の発明によれば、使用者が周期設定部を用いて所定期間周期を任意の周期に設定することが可能になり、使用者が望む所定期間周期を設定することが可能になる。
【００２１】
また、本発明の携帯電話機は、前記送信部が、前記位置情報取得部が前記位置情報を取得した際、該位置情報が示す位置と、前記位置情報取得部が該位置情報を取得する以前に取得した位置情報が示す位置との距離が、所定の距離よりも長い場合に、該位置情報を前記他の電話機に送信することを特徴とする。
【００２２】
上記の発明によれば、上記と同様の効果を奏するとともに、所定の距離の移動があった場合にのみ位置情報を送信することが可能になり、移動距離が所定の距離よりも短く、位置情報の通知の必要性が低い場合に、必要性の低い位置情報の通知を防止することが可能になる。
【００２３】
また、本発明の携帯電話機は、前記所定の距離が設定される距離設定部をさらに含むことを特徴とする。
【００２４】
上記の発明によれば、使用者が距離設定部を用いて所定の距離を任意の距離に設定することが可能になり、使用者が望む所定の距離を設定することが可能になる。
【００２５】
また、本発明の携帯電話機は、前記位置情報取得部が取得した位置情報に応じた位置を表示する表示部をさらに含むことを特徴とする。
【００２６】
上記の発明によれば、上記と同様の効果を奏するとともに、自身の位置を確認可能になる。
【００２７】
また、本発明の携帯電話機は、上述した携帯電話機との通話処理を行う通話処理部と、上述した携帯電話機から送信される位置情報を受信する受信部と、前記受信部が受信した位置情報に応じた位置を表示する表示部とを含むことを特徴とする。
【００２８】
上記の発明によれば、通話相手の位置を通話中に間欠的に確認可能になる。
【００２９】
また、本発明の位置情報送信方法は、他の電話機との通話処理を行う通話処理ステップと、現在位置を示す位置情報を間欠的に取得する位置情報取得ステップと、前記通話処理ステップで前記通話処理を行っている間、前記位置情報取得ステップで取得した位置情報の中で最新の位置情報を、前記他の電話機に間欠的に送信する送信ステップとを含むことを特徴とする。
【００３０】
上記の発明によれば、通話処理ステップで通話処理を行っている間、送信ステップで、位置情報取得ステップで取得した位置情報の中で最新の位置情報を、他の電話機に間欠的に送信するので、使用者に煩わしい操作を強いることなく、通話時においても自分自身の位置情報を取得し、その位置情報を通話時に通知することが可能となる。
【００３１】
また、本発明の位置情報送信方法は、前記位置情報取得ステップが、前記通話処理ステップで前記通話処理を行っている間、前記位置情報を所定期間周期で取得し、前記送信ステップが、前記通話処理ステップで前記通話処理を行っている間、前記位置情報取得ステップで前記所定期間周期で取得した位置情報の中で最新の位置情報を、前記所定期間周期で、前記他の電話機に送信することを特徴とする。
【００３２】
上記の発明によれば、上記同様の効果を奏するとともに、位置情報の送信間隔が所定期間周期となるため、所定期間周期よりも短い周期で必要以上に位置情報を伝えてしまうことを防止することが可能になる。
【００３３】
本発明の位置情報送信方法は、前記送信ステップが、前記位置情報取得ステップが前記位置情報を取得した際、該位置情報が示す位置と、前記位置情報取得ステップが該位置情報を取得する以前に取得した位置情報が示す位置との距離が、所定の距離よりも長い場合に、該位置情報を前記他の電話機に送信することを特徴とする。
【００３４】
上記の発明によれば、上記と同様の効果を奏するとともに、所定の距離の移動があった場合にのみ位置情報を送信することが可能になり、移動距離が所定の距離よりも短く、位置情報の通知の必要性が低い場合に、必要性の低い位置情報の通知を防止することが可能になる。
【００３５】
また、本発明の位置情報送信方法は、前記位置情報取得ステップで取得した位置情報に応じた位置を表示する表示ステップをさらに含むことを特徴とする。
【００３６】
上記の発明によれば、上記と同様の効果を奏するとともに、自身の位置を確認可能になる。
【００３７】
また、本発明の位置情報受信方法は、前記位置情報送信方法によって送信される位置情報を受信する受信ステップと、前記受信ステップで受信した位置情報に応じた位置を表示する表示ステップとを含むことを特徴とする。
【００３８】
上記の発明によれば、通話相手の位置を通話中に間欠的に確認可能になる。
【発明の効果】
【００３９】
本発明においては、使用者に煩わしい操作を強いることなく、自分自身の位置情報を通話中でも通話相手先に送信することができ、通話中に移動しても現在位置を知ることができる。
【発明を実施するための最良の形態】
【００４０】
以下、本発明の実施の形態を図面に示す一実施例に基づき説明する。
【００４１】
図１は、本発明の一実施例の携帯電話機を用いた携帯電話システムを示したブロック図である。
【００４２】
図１において、携帯電話システムは、携帯電話機１Ａと、携帯電話機１Ｂと、基地局２Ａと、基地局２Ｂとを含む。
【００４３】
なお、図１では、携帯電話機を２台しか示していないが、携帯電話機は２台に限るものではなく、適宜変更可能である。また、図１では、基地局を２台しか示していないが、基地局は２台に限るものではなく、適宜変更可能である。
【００４４】
基地局２Ａは、無線エリア２Ａ１を有し、基地局２Ｂは、無線エリア２Ｂ１を有する。基地局２Ａと基地局２Ｂとは、通信網４を介して、接続されている。
【００４５】
携帯電話機１Ａと携帯電話機１Ｂとは、いずれかの無線エリア内に位置するとき、該無線エリアを有する基地局と通信可能になる。携帯電話機１Ａと携帯電話機１Ｂとは、通信可能な基地局を介して、他の電話機、例えば、他の携帯電話機との間で、通話処理および位置情報送信等の通信処理を行う。
【００４６】
基地局２Ａは、地図情報を有する地図情報サーバ３Ａを含む。
【００４７】
基地局２Ａは、基地局２Ａが有する無線エリア２Ａ１内に位置する携帯電話機から位置情報が送信されると、送信された位置情報が示す位置を有する地図を示す地図情報を地図情報サーバ３Ａから読み出す。基地局２Ａは、読み出した地図情報が示す地図上に、送信された位置情報が示す位置（送信点）が符号で示される表示を実行させる位置表示情報を、無線エリア２Ａ１内に位置する携帯電話機の通話相手である携帯電話機に送信する。
【００４８】
基地局２Ｂは、地図情報を有する地図情報サーバ３Ｂを含む。
【００４９】
基地局２Ｂは、基地局２Ｂが有する無線エリア２Ｂ１内に位置する携帯電話機から位置情報が送信されると、送信された位置情報が示す位置を有する地図を示す地図情報を地図情報サーバ３Ｂから読み出す。基地局２Ｂは、読み出した地図情報が示す地図上に、送信された位置情報が示す位置（送信点）が符号で示される表示を実行させる位置表示情報を、無線エリア２Ｂ１内に位置する携帯電話機の通話相手である携帯電話機に送信する。
【００５０】
図２は、携帯電話機１、具体的には携帯電話機１Ａおよび携帯電話機１Ｂの一例を示したブロック図である。
【００５１】
図２において、携帯電話機１は、制御部２０と、信号処理部２１と、送受信部２２と、位置情報取得部２３と、記憶部２４と、キーボード２５と、表示部２６と、マイク２７と、レシーバ２８と、アンテナ２９とを含む。また、携帯電話機１は、制御部２０と、信号処理部２１と、送受信部２２と、アンテナ２９とを含む送信制御部３０を含む。
【００５２】
制御部２０は、携帯電話機１の全体を制御する。
【００５３】
制御部２０は、信号処理部２１と、送受信部２２と、位置情報取得部２３と、記憶部２４と、キーボード２５および表示部２６と接続している。
【００５４】
通話処理部としての信号処理部２１は、他の電話機、例えば、他の携帯電話機との間で、通話処理および位置情報送信処理および位置情報受信処理等の通信処理を行う。
【００５５】
例えば、信号処理部２１は、マイク２７から入力された音声に応じた情報に対して送信のための信号処理を施し、送信のための信号処理を施した情報を、送受信部２２とアンテナ２９とを介して、他の携帯電話機に無線送信する。また、信号処理部２１は、アンテナ２９と送受信部２２とを介して入力される音声に応じた情報に対して再生のための信号処理を施し、再生のための信号処理を施した情報をレシーバ２８に供給し、レシーバ２８から音声を発生させる。
【００５６】
また、信号処理部２１は、制御部２０から入力される位置情報に対して、送信のための信号処理を施し、送信のための信号処理を施した位置情報を、送受信部２２とアンテナ２９とを介して、他の携帯電話機に無線送信する。また、信号処理部２１は、アンテナ２９と送受信部２２とを介して入力される位置情報、具体的には位置表示情報に対して復号のための信号処理を施し、復号のための信号処理を施した位置表示情報を、制御部２０に供給する。
【００５７】
位置情報取得部２３は、現在位置を示す位置情報を間欠的に取得する。例えば、位置情報取得部２３は、ＧＰＳ受信部であり、一定時間毎に、つまり、所定期間周期で、自身の位置情報を検出して、検出した位置情報を制御部２０に通知する。
【００５８】
制御部２０は、通知された位置情報を記憶部２４に記憶させる。よって、記憶部２４は、位置情報取得部２３が取得した位置情報を記憶する。
【００５９】
送信制御部３０は、信号処理部２１が通話処理を行っている間、位置情報取得部２３が取得した位置情報の中で最新の位置情報を、他の電話機、例えば、他の携帯電話機に間欠的に送信する。
【００６０】
具体的には、送信制御部３０は、信号処理部２１が通話処理を行っている間、位置情報取得部２３が所定期間周期で取得した位置情報の中で最新の位置情報を、所定期間周期で、他の電話機、例えば、他の携帯電話機に送信する。
【００６１】
キーボード２５は、相手先の電話番号を入力するための数値キーと、オンフックキーと、オフフックキーとを含む。また、キーボード２５は、周期設定部２５ａを含む。
【００６２】
周期設定部２５ａは、使用者の操作により、上記所定期間周期が設定される。  表示部２６は、制御部２０の制御に基づき、種々の表示を行う。例えば、表示部２６は、位置情報取得部２３が取得した位置情報に応じた位置を表示する。
【００６３】
使用者によりキーボード２５が操作されて発呼が入力されると、制御部２０は、入力された発呼に基づく発信先に発信するとともに、記憶部２４に記憶されている位置情報を発信先に発信する。
【００６４】
通話状態においても、位置情報取得部２３は所定期間毎に位置情報を制御部２０に通知し、制御部２０は位置情報を発信先に発信する。
【００６５】
次に、動作を説明する。
【００６６】
図３は、図２に示した携帯電話機１の動作を説明するためのフローチャートである。具体的には、図３は、他の携帯電話機と通話処理を行っている間に、携帯電話機１の位置を示す位置情報を、所定期間ごとに送信する動作を説明するためのフローチャートである。
【００６７】
以下、図３を参照して、図２に示した携帯電話機１の動作を説明する。
【００６８】
電源投入等により、携帯電話機１が動作を開始すると、制御部２０は、位置情報取得指示信号を位置情報取得部２３に出力する。さらに、制御部２０は、内部のタイマをリセットし、タイマで時間をカウントさせる。
【００６９】
位置情報取得部２３は、制御部２０から位置情報取得指示信号を受けると、現在位置を示す位置情報を取得する（ステップＳ１００）。
【００７０】
位置情報取得部２３は、取得した位置情報を制御部２０に通知する。制御部２０は、通知された位置情報を記憶部２４に記憶させる。
【００７１】
制御部２０は、キーボード２５の操作により他の携帯電話機への発呼が入力されたか判断する（ステップＳ１０１）。
【００７２】
ステップＳ１０１で、発呼がない場合、制御部２０は、タイマの値に基づき一定時間経過したか判断し（ステップＳ１０２）、一定時間経過していない場合にはステップＳ１０１に戻り、一定時間経過した場合にはステップＳ１００に戻る。
【００７３】
ステップＳ１０１で、発呼がある場合、制御部２０は、他の携帯電話機への発呼の情報と記憶部２４に記憶されている位置情報とを、基地局に送信するために、信号処理部２１に出力する。
【００７４】
信号処理部２１は、制御部２０から供給された発呼の情報および位置情報とに対して、送信のための信号処理を施し、送信のための信号処理を施した発呼の情報および位置情報とを送受信部２２に出力する。
【００７５】
送受信部２２は、信号処理部２１から供給された信号処理が施された発呼の情報および位置情報とを、アンテナ２９を介して基地局に送信する（ステップＳ１０３）。
【００７６】
基地局は、他の携帯電話機への発呼の情報に基づき、該他の携帯電話機へ着信を通知する。
【００７７】
さらに、基地局は、携帯電話機から送信された位置情報が示す位置を有する地図を示す地図情報を地図情報サーバから読み出す。基地局は、読み出した地図情報が示す地図上に、送信された位置情報が示す位置（送信点）が符号で示される表示を実行させる位置表示情報を、着信を通知した該他の携帯電話機へ送信する。
【００７８】
該他の携帯電話機が着信を受け付けると、発呼を送信した携帯電話機と該他の携帯電話機との間での通話が実行可能となる。
【００７９】
ステップＳ１０４において、信号処理部２１は通話処理を開始し、発呼元と発呼先との間での通話が可能になる。
【００８０】
制御部２０は、内部のタイマの値に基づき、前回位置情報を取得してから一定時間経過したかを判定する（ステップＳ１０５）。
【００８１】
ステップＳ１０５で一定時間経過していた場合、制御部２０は、位置情報取得部２３に対して、位置情報取得指示信号を出力する。さらに、制御部２０は、内部のタイマをリセットし、タイマで時間をカウントさせる。
【００８２】
位置情報取得部２３は、制御部２０から位置情報取得指示信号を受けると、現在位置を示す位置情報を取得し、取得した位置情報を制御部２０に通知する。制御部２０は、通知された位置情報を記憶部２４に記憶させる。また、制御部２０は、通知された位置情報に応じた位置を表示部２６に表示させる（ステップＳ１０６）。
【００８３】
ステップＳ１０６が終了すると、ステップＳ１０３に戻る。なお、ステップＳ１０６の後に実行されるステップＳ１０３では、発呼の情報は送信されない。
【００８４】
ステップＳ１０５で、一定時間経過していない場合、制御部２０は、通話が終了したか判断し（ステップＳ１０７）、通話が終了していない場合にはステップＳ１０４に戻り、通話が終了している場合には信号処理部２１による通話処理を終了させ（ステップＳ１０８）、ステップＳ１０２に戻る。
【００８５】
本実施例は、信号処理部２１が通話処理を行っている間、送信制御部３０が、位置情報取得部２３が取得した位置情報の中で最新の位置情報を、他の携帯電話機に間欠的に送信するので、使用者に煩わしい操作を強いることなく、通話時においても自分自身の位置情報を取得し、その位置情報を通話時に通知することが可能となる。
【００８６】
また、位置情報の送信間隔が所定期間周期となるため、所定期間周期よりも短い周期で必要以上に位置情報を伝えてしまうことを防止することが可能になる。
【００８７】
また、使用者が周期設定部２５ａを用いて所定期間周期を任意の周期に設定することが可能になり、使用者が望む所定期間周期を設定することが可能になる。
【００８８】
また、位置情報取得部２３で取得した位置情報に応じた位置を表示部２６で表示するので、自身の位置を確認可能になる。
【００８９】
次に、他の実施例を説明する。
【００９０】
図４は、携帯電話機１、具体的には携帯電話機１Ａおよび携帯電話機１Ｂの他の例を示したブロック図である。なお、図４において、図２と同一構成のものには、同一符号を附してある。
【００９１】
図４において、送信制御部３１は、制御部２０ｂと、信号処理部２１と、送受信部２２と、アンテナ２９とを含む。
【００９２】
制御部２０ａは、図２に示した制御部２０に対応し、携帯電話機１全体を制御する。制御部２０ａは、位置情報取得部２３から通知された位置情報を記憶部２４に記憶させる。
【００９３】
送信制御部３１は、信号処理部２１が通話処理を行っている間、位置情報取得部２３が取得した位置情報の中で最新の位置情報を、他の電話機、例えば、他の携帯電話機に間欠的に送信する。
【００９４】
具体的には、送信制御部３１は、位置情報取得部２３が位置情報を取得した際、該位置情報が示す位置と、位置情報取得部２３が該位置情報を取得する以前に取得した位置情報が示す位置との距離が、所定の距離よりも長い場合に、該位置情報を他の携帯電話機に送信する。
【００９５】
距離設定部２５ｂは、使用者の操作により、上記所定の距離が任意の値に設定される。
【００９６】
次に、図４に示した携帯電話機１の動作を説明する。
【００９７】
図５は、図４に示した携帯電話機１の動作を説明するためのフローチャートである。具体的には、図５は、他の携帯電話機と通話処理を行っている間に、携帯電話機１の位置が所定の距離だけ移動するごとに、携帯電話機１の位置を示す位置情報を送信する動作を説明するためのフローチャートである。
【００９８】
以下、図５を参照して、図４に示した携帯電話機１の動作を説明する。
【００９９】
電源投入等により、携帯電話機１が動作を開始すると、制御部２０ａは、位置情報取得指示信号を位置情報取得部２３に出力する。さらに、制御部２０ａは、内部のタイマをリセットし、タイマで時間をカウントさせる。
【０１００】
位置情報取得部２３は、制御部２０ａから位置情報取得指示信号を受けると、現在位置を示す位置情報を取得する（ステップＳ２００）。
【０１０１】
位置情報取得部２３は、取得した位置情報を制御部２０ａに通知する。制御部２０ａは、通知された位置情報を記憶部２４に記憶させる。
【０１０２】
制御部２０ａは、キーボード２５の操作により他の携帯電話機への発呼が入力されたか判断する（ステップＳ２０１）。
【０１０３】
ステップＳ２０１で、発呼がない場合、制御部２０ａは、タイマの値に基づき一定時間経過したか判断し（ステップＳ２０２）、一定時間経過していない場合にはステップＳ２０１に戻り、一定時間経過した場合にはステップＳ２００に戻る。
【０１０４】
ステップＳ２０１で、発呼がある場合、制御部２０ａは、他の携帯電話機への発呼の情報と、記憶部２４に記憶されている位置情報とを、基地局に送信するために信号処理部２１に出力する。
【０１０５】
信号処理部２１は、制御部２０ａから供給された発呼の情報および位置情報とに対して、送信のための信号処理を施し、送信のための信号処理が施された発呼の情報および位置情報とを送受信部２２に出力する。
【０１０６】
送受信部２２は、信号処理部２１から供給された信号処理が施された発呼の情報および位置情報とをアンテナ２９を介して基地局に送信する。さらに、制御部２０ａは、記憶部２４に記憶されている位置情報を表示部２６に表示させる（ステップＳ２０３）。
【０１０７】
基地局は、他の携帯電話機への発呼の情報に基づき、該他の携帯電話機へ着信を通知する。
【０１０８】
さらに、基地局は、携帯電話機から送信された位置情報が示す位置を有する地図を示す地図情報を地図情報サーバから読み出す。基地局は、読み出した地図情報が示す地図上に、送信された位置情報が示す位置（送信点）が符号で示される表示を実行させる位置表示情報を、着信を通知した該他の携帯電話機へ送信する。
【０１０９】
該他の携帯電話機が着信を受け付けると、発呼を送信した携帯電話機と該他の携帯電話機との間での通話が実行可能となる。
【０１１０】
ステップＳ２０４において、信号処理部２１は通話処理を開始し、発呼元と発呼先との間での通話が可能になる。
【０１１１】
制御部２０ａは、位置情報取得部２３に対して、位置情報取得指示信号を出力する。位置情報取得部２３は、制御部２０ａから位置情報取得指示信号を受けると、現在位置を示す位置情報を取得し、取得した位置情報を制御部２０ａに通知する（ステップＳ２０５）。
【０１１２】
制御部２０ａは、通知された位置情報が示す位置と、記憶部２４が記憶している位置情報が示す位置との間の距離を求め、求めた距離が所定の距離以上であるか否か判定する（ステップＳ２０６）。すなわち、自身が所定距離以上移動したか判断する。
【０１１３】
ステップＳ２０６で、制御部２０ａが所定距離以上移動したと判断すると、ステップＳ２０３に戻る。なお、ステップＳ２０６の後に実行されるステップＳ２０３では、発呼の情報は送信されない。
【０１１４】
ステップＳ２０６で、制御部２０ａが、所定距離以上移動していないと判断すると、制御部２０ａは、通話が終了したか判断し（ステップＳ２０７）、通話が終了していない場合にはステップＳ２０４に戻り、通話が終了している場合には信号処理部２１による通話処理を終了させ（ステップＳ２０８）、ステップＳ２０２に戻る。
【０１１５】
本実施例によれば、使用者に煩わしい操作を強いることなく、通話時においても自分自身の位置情報を取得し、その位置情報を通話時に通知することが可能となる。また、所定の距離の移動があった場合にのみ位置情報を送信することが可能になり、移動距離が所定の距離よりも短く、位置情報の通知の必要性が低い場合に、必要性の低い位置情報の通知を防止することが可能になる。
【０１１６】
また、使用者が距離設定部２５ｂを用いて所定の距離を任意の距離に設定することが可能になり、使用者が望む所定の距離を設定することが可能になる。
【０１１７】
また、位置情報取得部２３が取得した位置情報に応じた位置を表示部２６が表示するので、自身の位置を確認可能になる。
【０１１８】
次に、着信側の電話機の動作を説明する。なお、本例では、着信側の電話機として、図２に示した携帯電話機１を使用するものとする。しかしながら、着信側の電話機は、図２に示した携帯電話機１に限るものではなく、適宜変更可能である。例えば、着信側の電話機として、図４に示した携帯電話機を用いてもよいし、固定電話機を用いてもよい。
【０１１９】
図６は、着信側の動作を説明するためのフローチャートである。
【０１２０】
以下、図６を参照して、着信側の動作を説明する。
【０１２１】
制御部２０は、信号制御部２１から供給される信号に基づき、着信の有無を検出する（ステップＳ３０１）。
【０１２２】
ステップＳ３０１で着信があると、制御部２０は、アンテナ２９と送受信部２２と信号処理部２１とを介して、位置表示情報が送信されているか確認する（ステップＳ３０２）。
【０１２３】
ステップＳ３０２で位置表示情報が送信されていると制御部２０が判断した場合、送信制御部３０は、位置表示情報を受信し、受信した位置表示情報に応じた表示を表示部２６に表示させる（ステップＳ３０３、Ｓ３０４）。なお、位置表示情報に応じた表示は、地図上に通話相手の位置（送信点）が符号で示される表示となる。
【０１２４】
続いて、制御部２０は、通話処理に移行し（ステップＳ３０５）、続いてＳ３０２に戻る。
【０１２５】
ステップＳ３０２で位置情報が送信されていない場合、制御部２０は、ステップＳ３０５に進む。なお、図６においては、終話時の処理は省略する。
【０１２６】
このように、着信側の電話機は、通話相手の位置を通話中に間欠的に確認可能になる。
【０１２７】
なお、位置情報取得部２３が行う位置情報を取得する方法は、ＧＰＳによる方法に限るものではなく、自己の位置が取得できる手法であれば、どのような手法でも構わない。
【０１２８】
なお、位置情報の発信は、一定時間あるいは一定距離以外に、使用者が任意に送信位置情報を送信することができるボタン（キーボード２５）が操作された際に実行されるようにしてもよい。
【０１２９】
また、位置情報を送信するか否かを使用者選択できるようにしてもよい。この場合、位置情報を送信するか否かを設定するためのボタンをキーボード２５に設け、制御部２０または制御部２０ｂがそのボタンの状態に応じて、位置情報を送信するか否かを判断するようにすればよい。
【０１３０】
上記の各実施例では、位置情報を基地局に送信して基地局にある地図情報サーバから地図情報を取り出し、取り出した地図情報と該位置情報とを相手先に送信する場合について説明してきたが、発呼側の携帯電話機が、自身の位置情報を表示している地図を含んでいるデータを電子メールの添付画像ファイルとして着信側に送信するようにしてもよい。
【０１３１】
以上説明した実施例において、図示した構成は単なる一例であって、本発明はその構成に限定されるものではない。
【図面の簡単な説明】
【０１３２】
【図１】本発明の一実施例の携帯電話システムを示したブロック図である。
【図２】図１に示した携帯電話機の一例を示したブロック図である。
【図３】図２に示した携帯電話機の動作を説明するためのフローチャートである。
【図４】図１に示した携帯電話機の他の例を示したブロック図である。
【図５】図４に示した携帯電話機の動作を説明するためのフローチャートである。
【図６】図１に示した携帯電話機の着信時の動作を説明するためのフローチャートである。
【図７】従来の携帯電話システムを示したブロック図である。
【符号の説明】
【０１３３】
１Ａ、１Ｂ      携帯電話機
２Ａ、２Ｂ      基地局
２Ａ１、２Ｂ１  無線エリア
３Ａ、３Ｂ      地図情報サーバ
４              通信網
２０、２０ａ    制御部
２１            信号処理部
２２            送受信部
２３            位置情報取得部
２４            記憶部
２５            キーボード
２５ａ          周期設定部
２５ｂ          距離設定部
２６            表示部
２７            マイク
２８            レシーバ
２９            アンテナ
３０、３１      送信制御部
【図１】
2005033612.tif 000003
【図２】
2005033612.tif 000004
【図３】
2005033612.tif 000005
【図４】
2005033612.tif 000006
【図５】
2005033612.tif 000007
【図６】
2005033612.tif 000008
【図７】
2005033612.tif 000009